(57)【特許請求の範囲】
【請求項１】
ステージに形成されている照明用開口部の上に配置された標本を前記ステージ下方から照明用開口部を介して透過照明する顕微鏡用照明装置において、
光源からの光束を入射する入射面と集束光を出射する出射面を有する集光レンズと、
前記集光レンズからの集束光を入射する入射面と、対物レンズの視野範囲を照明する照明光を出射する第１の出射面と、前記対物レンズの視野範囲外の視野周辺の領域を照明する照明光を出射する第２の出射面とを有する照明レンズと、を備え、
前記集光レンズの前記入射面あるいは前記出射面、または前記照明レンズの前記入射面のいずれかの面を照明光を拡散する拡散面とし、前記拡散面で拡散された拡散光は前記照明レンズの第２の出射面から出射して前記視野周辺の領域を照明し、前記拡散面で拡散されない照明光は前記対物レンズの視野範囲を照明することを特徴とする顕微鏡用照明装置。
【請求項２】
前記照明レンズの第２の出射面は、前記第１の出射面よりも低い位置に形成されていることを特徴とする請求項１記載の顕微鏡用照明装置。
【請求項３】
前記照明レンズの第２の出射面は、フランジ状の平面部を有することを特徴とする請求項１または２のいずれかに記載の顕微鏡用照明装置。
【発明の詳細な説明】
【０００１】
【発明の属する技術分野】
本発明は、顕微鏡観察する標本を照明する顕微鏡用照明装置に関し、特に標本上にマーキングしたマークの目視認識を容易にするための顕微鏡用照明装置に関する。
【０００２】
【従来の技術】
細胞診では、異常細胞等に再検鏡を要する着目部位を発見すると、標本に対して着目部の近傍に赤インク等でマークを付けることがある。そしてマーキングされた標本を再検鏡する時は、目視によりマーキング位置を確認し、そのマーク近傍に存在する着目部位をステージのＸＹ移動により顕微鏡視野内に入れて検鏡うる。
【０００３】
図４は、上述した細胞診の際に使用される正立型光学顕微鏡である。回転操作されるレボルバ２に取り付けられた対物レンズ３がステージ１の上方に設置され、コンデンサレンズ５がステージ下方の照明用長穴４に対向するように設置されている。そして、対物レンズ３の光軸が通る照明用長穴４の上にスライドガラス等に細胞等を固定した標本が載置され、標本の対物レンズ３の実視野に対応する領域をコンデンサレンズ５で下方から照明する。
【０００４】
ところで、標本に付けられたマークが目視しにくいところから、マークを目視で見易くするために種々の工夫がなされている。例えば、図５に示すコンデンサレンズ５では、標本のバックに配置されるコンデンサレンズ５の先玉部５ａを白色若しくは金属色等の明るい色にコーティングするか、コンデンサレンズ５の先玉部５ａに白いキャップを被せている。
【０００５】
同様の観点から、実開昭６３−１５５１１７号公報にはステージ表面を白色、金属色の明るい色でコーティングすることが開示されている。
【０００６】
また、特開平８−１１４７４８号公報には、図６に示す構造が開示されている。この構造では、照明ユニット１６の上端に平面ガラス板６が配置され、平面ガラス板６の下方に平面蛍光灯８が配置されている。平面蛍光灯８は、照明ユニット１６外に配置された電源７から電力が供給されて点灯する。この構造では、平面ガラス板６を通して対物レンズ３の視野及び視野周辺を含む領域を均一な光で照明することができる。
【０００７】
【発明が解決しようとする課題】
しかしながら、ステージ上面またはコンデンサレンズ５の先玉部５ａを明るい色でコーティングしただけでは、照明光が直接照射される場合に比べ、マーキングの視認し易さが著しく劣り、特に検環境が暗い場合にはそのような不具合が顕著に現れる。
【０００８】
また、図６のように平面蛍光灯８を用いた構造では、対物レンズ３によって標本を観察する場合に、一般的な顕微鏡用コンデンサレンズを用いたときに比べ照明性能が劣化する。
【０００９】
さらに、ステージ上面またはコンデンサレンズ５の先玉部５ａを明るい色でコーティングする構造では、新たにコーティングを行う必要があり、また、図６のように平面蛍光灯８や電源７等を用いた構造では、新たに部品等を追加する必要があり、構造が複雑になると共に、高価になる問題を有している。
【００１０】
本発明は、以上のような従来の問題点を考慮してなされたものであり、視野周辺まで含む広い領域で標本を照明することができ、マーク等の指標を視野で容易に確認でき、さらには標本を観察する場合に照明性能の劣化を抑制することが可能な顕微鏡用照明装置を提供することを目的とする。
【００１１】
【課題を解決するための手段】
上記目的を達成するため、請求項１の発明は、ステージに形成されている照明用開口部の上に配置された標本を前記ステージ下方から照明用開口部を介して透過照明する顕微鏡用照明装置において、光源からの光束を入射する入射面と集束光を出射する出射面を有する集光レンズと、前記集光レンズからの集束光を入射する入射面と、対物レンズの視野範囲を照明する照明光を出射する第１の出射面と、前記対物レンズの視野範囲外の視野周辺の領域を照明する照明光を出射する第２の出射面とを有する照明レンズと、を備え、前記集光レンズの前記入射面あるいは前記出射面、または前記照明レンズの前記入射面のいずれかの面を照明光を拡散する拡散面とし、前記拡散面で拡散された拡散光は前記照明レンズの第２の出射面から出射して前記視野周辺の領域を照明し、前記拡散面で拡散されない照明光は前記対物レンズの視野範囲を照明することを特徴とする。
【００１２】
この発明では、前記集光レンズの前記入射面あるいは前記出射面、または前記照明レンズの前記入射面のいずれかの面を照明光を拡散する拡散面とし、前記拡散面で拡散された拡散光は前記照明レンズの第２の出射面から出射して前記視野周辺の領域を照明し、前記拡散面で拡散されない照明光は前記対物レンズの視野範囲を照明するように構成したので、標本にマーキングした点を容易に発見することができる。
【００１３】
一方、拡散面によって拡散された照明光のほとんどは主照明光となって、照明レンズの上面から対物レンズの視野を照明する。したがって、一般的な顕微鏡用コンデンサレンズを用いたときに得られる照明光に近い照明光が得られる。
また、照明レンズはプラスチックなどの成形によって作製できるため、安価とすることができる。
【００１４】
請求項２の発明は、請求項１の発明であって、前記照明レンズの第２の出射面は、前記第１の出射面よりも低い位置に形成されていることを特徴とする。
【００１５】
前記照明レンズの第２の出射面を、前記第１の出射面よりも低い位置に形成し拡散面とした場合には、光束が照明レンズに入射するときに、拡散光と主照明光とに分けることができ、拡散光によってマーキングの視認を良好に行うことができる。また、照明レンズはプラスチックなどの成形によって作製できるため、安価とすることができる。
【００１６】
請求項３の発明は、前記照明レンズの第２の出射面は、フランジ状の平面部を有することを特徴とする。
【００１７】
前記照明レンズの第２の出射面を、フランジ状の平面部を有する構成とすることにより、対物レンズの視野周辺領域を照明でき、視野周辺領域に設けられているマーキングの目視確認を容易に行うことができる。
【００１８】
【発明の実施の形態】
（実施の形態１）
図１は本発明の実施の形態１が適用された正立型光学顕微鏡の側面図である。この光学顕微鏡は、顕微鏡本体１０の下部側面にベース１０ｂが設けられ、このベース１０ｂに照準ハンドル１１が回転操作可能に取り付けられている。また、ベース１０ｂの上方の顕微鏡本体１０側面には、照準ハンドル１１によって上下方向に移動するステージユニット１２が取り付けられている。ステージユニット１２は平面内で直交するＸＹ方向へ移動可能なステージ１３を備えている。
【００１９】
さらに、ステージユニット１２には、ハンドル１５によりステージユニット１２に対して上下動可能なホルダ１４が取り付けられており、ホルダ１４には照明ユニット４０が保持されている。照明ユニット４０はクランプねじ１７によってホルダー１４に固定され、芯出しねじ１８によって芯出し可能となっている。
【００２０】
一方、顕微鏡本体１０には、ステージ１３の上部側面には保持部１０ａが突出するように設けられており、この保持部１０ａにレボルバ２０が回転自在に取り付けられている。このレボルバ２０の回転動作によりｌ任意の対物レンズ２１を光軸上に挿入することができる。符号２２は保持部１０ａに取り付けられた接眼レンズである。
【００２１】
図２は、この実施の形態における照明ユニット４０の断面図である。照明ユニット４０は円筒状の照明ユニット本体４１と、照明ユニット本体４１と略同形の円筒状の照明レンズ枠４２とを備えている。照明ユニット本体４１の下端部には、丸アリ部からなる嵌合部４３が一体的に形成されており、この嵌合部４３がホルダ１４（図１参照）に嵌合することにより、照明ユニット４０の全体がホルダ１４に取り付けられる。
【００２２】
照明レンズ枠４２は、その下部内周面が照明ユニット本体４１の上部外周部分に螺合することによって照明ユニット本体４１に取り付けられている。この照明レンズ枠４２の内径段差部と照明ユニット本体４１の上端部には、その外周部分が挟まれることによって集光レンズ４４が固定されている。照明レンズ枠４２には、照明ユニット本体４１の上端部よりも上方に延びた保持枠部４２ａが一体的に形成されており、この保持枠部４２ａの上端開口部に照明レンズ４５が取り付けられている。
【００２３】
照明レンズ４５は、その外周部分が保持枠部４２ａの上端面に接着、溶着等によって接合されることによって照明レンズ枠４２に固定されている。この照明レンズ４５の上面中央部分は、主照明光３４ａが透過する主照明光透過面４５ａとなっている。また、主照明光透過面４５ａの周囲はフランジ状の平面部となっており、この平面部が拡散光が透過する拡散光透過面４５ｃとなっている。さらに、照明レンズ４５の下面は曲面に形成されており、この下面が、拡散光３４ｂが拡散する拡散面４５ｂとなっている。照明レンズ４５下面の拡散面４５ｂは通常のレンズのレンズ面に比べて僅かに粗い面に形成されるものである。
【００２４】
このような構造において、光源３１から出射し、コレクタレンズ３２を透過し、ミラー３３で反射された観察用の照明光が集光レンズ４４及び照明レンズ４５を透過して、標本２３を照明する。
【００２５】
次に、以上のように構成された本実施の形態の動作について説明する。図１に示すように、ハンドル１５を回転させて、照明ユニット４０の照明レンズ４５の上面がステージ１３の上面より僅かに低く、且つ対物レンズ２１に対して適正な照明光が得られる位置にする。なお、顕微鏡本体１０のベース１０ｂには照明ユニット４０へ照明光を導くための照明光学系が形成されている。
【００２６】
この照明光学系に対して光源ボックス内の光源３１から観察用の照明光が出射され、出射された照明光をコレクタレンズ３２で平行光とし、観察光軸上に配置したミラー３３で垂直上方に反射して照明ユニット本体４１の下端開口から集光レンズ４４を通して照明レンズ４５へ入射させる。
【００２７】
このような構成により照明レンズ４５へ入射した照明光は、照明レンズ４５下面の拡散面４５ｂより主照明光３４ａと拡散光３４ｂとに分けられる。拡散面４５ｂは通常のレンズのような滑らかな曲面に比べ僅かに粗い面となっているため、主照明光３４ａは照明レンズ４５の下面に拡散面４５ｂを備えない場合に比べ僅かに光量が少なくなるだけである。
【００２８】
主照明光３４ａは照明レンズ４５内部を通り、主照明光透過面４５ａより出射し、標本２３上の対物レンズ２１の視野領域を照明して対物レンズ２１へ入射する。上述したように、主照明光３４ａは照明レンズ４５の下面に拡散面４５ｂを備えない場合に比べ僅かに光量が少なくなるだけであるので、照明性能の劣化も僅かである。
【００２９】
一方、拡散光３４ｂは照明レンズ４５内部を通り拡散光透過面４５ｃから出射し、標本２３上の対物レンズ２１の視野周辺領域を照明して対物レンズ２１外へ出射する。このとき、照明レンズ４５の上面にはフランジ形状の拡散光透過面４５ｃが上面に露出しており、この拡散光透過面４５ｃから対物レンズ２１の視野周辺領域が照明されるため、視野周辺領域に設けられているマーキングの目視確認を容易に行うことができる。
【００３０】
従って、従来のように、コンデンサレンズ５の先玉部５ａを白色若しくは金属色等の明るい色にコーティングしたり、コンデンサレンズ５の先玉部５ａに白いキャップを被せる等の必要がなくなる。また、拡散面４５ｂ及びフランジ状の拡散光透過面４５ｃを有した照明レンズ４５をプラスチックなどの成形によって製作することができ、安価となる。
【００３１】
（実施の形態２）
図３は本発明の実施の形態２を示し、実施の形態１と同一の要素は同一の符号によって対応させてある。
【００３２】
この実施の形態では、照明ユニット本体４１の上端部に固定されることによって、照明レンズ４５の下方に位置する集光レンズ４４の上面が照明光を拡散させる拡散面４４ａとなっている。拡散面４４ａは、実施の形態１と同様に、集光レンズ４４の上面４４を僅かに粗い面とすることによって、簡単に形成することができる。
【００３３】
この実施の形態では、集光レンズ４４へ入射した照明光は、同レンズ４４上面の拡散面４４ａにより主照明光３４ａと拡散光３４ｂとに分けられる。その後の照明光の作用は実施の形態１と同様であり、説明を省略する。従って、この実施の形態においても、実施の形態１と同様な効果が得られる。さらに、拡散面４４ａを有する集光レンズ４４はプラスチックなどの成形によって作製できるため、安価とすることができる。なお、この実施の形態では、拡散面４４ａを集光レンズ４４の下面に設けても良く、この場合にも備えても同様な効果が得られる。
【００３４】
【発明の効果】
請求項１の発明によれば、前記集光レンズの前記入射面あるいは前記出射面、または前記照明レンズの前記入射面のいずれかの面を照明光を拡散する拡散面とし、前記拡散面で拡散された拡散光は前記照明レンズの第２の出射面から出射して前記視野周辺の領域を照明し、前記拡散面で拡散されない照明光は前記対物レンズの視野範囲を照明するように構成したので、拡散光によって対物レンズの視野周辺の領域を照明することができる。したがって、標本にマーキングした点を容易に発見することができる。
【００３５】
請求項２の発明によれば、照明レンズの第２の出射面を、前記第１の出射面よりも低い位置に形成し拡散面とした場合には、光束が照明レンズに入射するときに、拡散光と主照明光とに分けることができ、拡散光によってマーキングの視認を良好に行うことができる。また、照明レンズはプラスチックなどの成形によって作製できるため、安価とすることができる。
【００３６】
請求項３の発明によれば、前記照明レンズの第２の出射面を、フランジ状の平面部を有する構成とすることにより、対物レンズの視野周辺領域を照明でき、視野周辺領域に設けられているマーキングの目視確認を容易に行うことができる。
【図面の簡単な説明】
【図１】本発明の実施の形態が適用される光学顕微鏡の側面図である。
【図２】実施の形態１の照明装置の断面図である。
【図３】実施の形態２の照明装置の断面図である。
【図４】正立型光学顕微鏡の斜視図である。
【図５】従来のコンデンサレンズの斜視図である。
【図６】従来の照明ユニットの断面図である。
【符号の説明】
１０  顕微鏡本体
２１  対物レンズ
２３  標本
３１  光源
４０  照明ユニット
４１  照明ユニット本体
４２  照明レンズ枠
４４  集光レンズ
４４ａ  拡散面
４５  照明レンズ
４５ａ  主照明光透過面
４５ｂ  拡散面
４５ｃ  拡散光透過面
【図１】
0003813714.tif 000002
【図２】
0003813714.tif 000003
【図３】
0003813714.tif 000004
【図４】
0003813714.tif 000005
【図５】
0003813714.tif 000006
【図６】
0003813714.tif 000007